(57)【要約】【課題】より安全で機能的な、グリル収納部にグリルの代わりに引き出し部を設ける厨房用キャビネットを提供する。【解決手段】カウンターに加熱調理用具を備えた厨房用キャビネットであって、加熱調理用具の真下に、引き出しを設け、加熱調理用具と引き出しの間に、仕切り板を設け、該仕切り板の後方部を垂下させてＬ字状とすることを特徴とする厨房用キャビネットである。【選択図】図３
2006181206.tif 000002
【特許請求の範囲】
【請求項１】
カウンターに加熱調理用具を備えた厨房用キャビネットであって、加熱調理用具の真下に、引き出しを設け、加熱調理用具と引き出しの間に、仕切り板を設け、該仕切り板の後方部を垂下させてＬ字状とすることを特徴とする厨房用キャビネット。
【請求項２】
カウンターと引き出し前板との間に隙間を設け、該隙間の後方に、小径の穴を開けた吸気口板を設けることを特徴とする請求項１に記載の厨房用キャビネット。
【発明の詳細な説明】
【技術分野】
【０００１】
本願発明は、カウンターに加熱調理用具を備えた厨房用キャビネットに関し、特にグリルの代わりに引き出しを設ける厨房用キャビネットに関する。「カウンター」とは厨房用キャビネットの天板であり、「加熱調理用具」には、ガスコンロや電磁加熱調理器も含まれる。
【背景技術】
【０００２】
従来のシステムキッチンにおいてはコンロとグリルと一体となっている厨房用キャビネットが一般的であったが、近年、グリルに対するニーズが減少してきており、グリルを無くし、その空いた収納部を有効利用するために、該収納部の空きに引き出しを設ける厨房用キャビネットが求められている。
【特許文献１】実用新案登録第２５５０２１６号
【０００３】
従来技術としては、上記実用新案登録公報において、コンロの加熱部の底部を断熱材で遮熱し、底部の下方に上記加熱部とは独立した収納部を形成し、該収納部に鏡板を有する抽斗（引き出し）を引き出し自在に配設する構成が開示されている。
【発明の開示】
【発明が解決しようとする課題】
【０００４】
従来技術においては、コンロの加熱部の底部に断熱材を設けている為、引き出し上後部から収納物が落下したり、収納物がガス配管、又は電気コードに接触したりする危険性がある。また、引き出しを引き出した状態で中を覗くとコンロが露出してしまい、その上、キャビネット内の通気性が悪い為、ガスコンロのバーナーの燃焼が安定しないという欠点がある。
【０００５】
本願発明の目的は、上記欠点を解決し、より安全で機能的な、グリル収納部にグリルの代わりに引き出しを設ける厨房用キャビネットを提供することである。
【課題を解決するための手段】
【０００６】
本願発明は、カウンターに加熱調理用具を備えた厨房用キャビネットであって、加熱調理用具の真下に、引き出しを設け、加熱調理用具と引き出しの間に、仕切り板を設け、該仕切り板の後方部を垂下させてＬ字状とし、さらにカウンターと引き出し前板との間に隙間を設け、該隙間の後方に、小径の穴を開けた吸気口板を設けることを特徴とする厨房用キャビネットである。
【発明の効果】
【０００７】
本願発明の利点は、コンロと引き出しの間に仕切り板を設け、仕切り板の後方部をキャビネットの背板と平行になるようにＬ字型に折り曲げる形状とすることで、コンロ本体の放熱から収納物を守り、引き出しを引き出した状態で中を覗いてもコンロ本体の露出を防止し、引き出しの収納物が引き出しの後方からキャビネット内に落下することを防止し、引き出しの収納物がガス配管、又は電気コードに接触することを防止し、さらに引き出しとキャビネット内の背板側に設けられるガス配管や電源コードとの干渉を防止することである。
【０００８】
本願発明の更なる利点は、カウンター前縁の下面と引き出し前板の上面との間に隙間を設け、該隙間の後方に小径の穴を開けた吸気口板をコンロ本体の前面に設けることで、該隙間からコンロと仕切り板の間の通気路を通してキャビネット内部に空気を取り入れ、ガスコンロを使用した場合のバーナーの燃焼を安定させ、さらに該吸気口板の前面下部と引き出し前板の後面との間に補助幕板を該吸気口板に固定して設置することで、吸気口板の小径の穴以外の隙間を塞ぎ、ゴキブリ等の虫の侵入を防止し、正面からのコンロ本体の露出も防止することである。
【発明を実施するための最良の形態】
【０００９】
以下、本願発明の特徴をさらに十分に示すために、限定を意図しない例として、本願発明の実施形態に関して説明する。
【実施例１】
【００１０】
図１、図２、図３に図示されるように、本願請求項に係る厨房用キャビネットの実施形態は、前板（１）と、側板（２）及び（３）と、背板（４）と、上部に設置されるカウンター（５）と、該カウンター（５）の開口（６）に上からはめ込まれるコンロ本体（７）と、該カウンター（５）の開口（６）から上面に露出するコンロ面（８）と、該コンロ本体（７）にガスを供給するガス配管（９）と、ガスの供給を開閉するガス栓（１０）と、引き出し本体（１１）と引き出し前板（１２）を含む引き出し（１３）と、該引き出し本体（１１）と該コンロ本体（７）の間に該側板（２）及び（３）にナット固定されて取り外し可能に設置される仕切り板（１４）と、該背板（４）と平行となるようにＬ字型に折り曲げる形状の該仕切り板（１４）の後方部（１５）と、該コンロ本体（７）の前面に設置される空気を取り入れる為の小径の穴（１６）を開けた吸気口板（１７）と、該吸気口板（１７）の前面下部と引き出し前板（１２）の後面との間に設置される補助幕板（１８）と、から構成されている。
【００１１】
カウンター（５）の開口（６）に上からコンロがはめ込まれ、コンロ本体（７）はキャビネットの上部内に収まり、コンロ面（８）はカウンター（５）の上面に露出する。ガスコンロの場合、該コンロ本体（７）にガスを供給するガス配管（９）はコンロ本体（７）の後方底部からキャビネットの背板（４）と並行して下方に伸びて配置され、ガスの供給を開閉するガス栓（１０）を介して、キャビネットの背板（４）方向にＬ字型に配置され、キャビネット外のガス供給管に接続する。
【００１２】
また、図示されていないＩＨ電磁加熱器の場合は、ガスを供給するガス配管（９）の代わりに、電気を供給する電気コードが、加熱器後部からキャビネットの背板（４）に配置され、該背板（４）の上方又は下方に電気コードのプラグに対応する開口を設け、該プラグは該開口からキャビネット外に配置され、該キャビネットの配置位置に対応するキッチンの内壁の、該背板（４）の開口からキャビネット外に配置された該プラグの配置位置に対応する位置にコンセントを設け、電源である該コンセントにプラグを直接接続する。
【００１３】
従来グリルが収納されていたキャビネットの上部前方の、コンロ本体の下部の収納部に引き出し前板（１２）と引き出し本体（１１）から成る引き出し（１３）を設ける。該引き出しには、調味料や小物類が収納でき、収納部として有効利用できる。引き出し前板（１２）は図１に図示される取っ手（１９）を備えていることが好ましい。また、引き出しの取っ手は様々な形状に構成することができる。
【００１４】
引き出し本体（１１）とコンロ本体（７）の間に、該引き出し本体（１１）の上方、近い側に、該コンロ本体の放熱から収納物を守る為に、鋼板製の仕切り板（１４）を、側板（２）及び（３）への固定を可能にする為に側方部を側板（２）及び（３）と平行となるようにＬ字型に短く折り曲げる形状と成し、該仕切り板（１４）をキャビネットの側板（２）及び（３）に取り外し可能にナット固定して設置する。さらに該仕切り板（１４）の後方部をキャビネットの背板（４）と平行となるようにＬ字型に折り曲げる形状と成し、引き出しの収納物が引き出しの上後方からキャビネット内に落下することを防止し、引き出しの収納物がコンロ本体、ガス配管、又は電気コードに接触することを防止し、さらに引き出し（１３）とガス配管（９）や電気コードが干渉することを防止する。
【００１５】
カウンターの下面と引き出し前板（１２）の上面との間に隙間（２０）を設け、該隙間（２０）から空気を取り入れる為の吸気口の役割を担う小径の穴（１６）を開けた鋼板製の吸気口板（１７）を該隙間（２０）の後方に、コンロ本体（７）の前面に設置し、コンロ本体（７）と仕切り板（１４）の間に通気路（２２）を設け、該隙間（２０）から該通気路（２２）を通してキャビネット内部に空気を取り入れ、ガスコンロを使用した場合のバーナーの燃焼を安定させ、さらに、該吸気口板（１７）の前面下部と該引き出し前板（１２）の後面との間に補助幕板（１８）を該吸気口板（１７）に固定して設置し、引き出し（１３）を閉じた状態では該吸気口板（１７）の小径の穴（１６）以外の隙間を塞ぎ、該隙間（２０）からのゴキブリ等の虫の侵入を防止する。
【００１６】
該引き出し（１３）の下方には、図１に示されるように開閉式の前板（１）を有するキャビネット収納部と前底板（２１）を有する下方引き出しを備えていても良い。
【００１７】
また、該引き出し（１３）の下方には、下方引き出しの代わりに、図示されていない開閉式の前板を有するキャビネット収納部を備えていても良い。さらに、キャビネット収納部は引き出し形状の収納部でも良く、すなわち、キャビネット収納部は様々な形状に構成することができる。
【００１８】
以上説明したように、本願請求項に係る厨房用キャビネットは、コンロ本体と引き出し本体の間に仕切り板を設け、仕切り板の後方部をキャビネットの背板と平行となるようにＬ字型に折り曲げる形状とすることで、コンロ本体の放熱から収納物を守り、引き出しを引き出した状態で中を覗いてもコンロ本体の露出を防止し、引き出しの収納物が引き出しの後方からキャビネット内に落下することを防止し、引き出しの収納物がガス配管、又は電気コードに接触することを防止し、さらに、引き出しとキャビネット内の背板側に設けられるガス配管や電源コードとの干渉を防止することができる。また、カウンター前縁の下面と引き出し前板の上面との間に隙間を設け、該隙間の後方に小径の穴を開けた吸気口板をコンロ本体の前面に設けることで、該隙間からコンロと仕切り板の間の通気路を通してキャビネット内部に空気を取り入れ、ガスコンロを使用した場合のバーナーの燃焼を安定させ、さらに該吸気口板の前面下部と引き出し前板の後面との間に補助幕板を該吸気口板に固定して設置することで、吸気口板の小径の穴以外の隙間を塞ぎ、ゴキブリ等の虫の侵入を防止し、正面からのコンロ本体の露出も防止することができる。
【図面の簡単な説明】
【００１９】
【図１】本願発明のコンロ用キャビネットを示す斜視図である。
【図２】コンロ本体を除いた本願発明のコンロ用キャビネット上部の透視図である。
【図３】本願発明のコンロ用キャビネット上部の断面図である。
【符号の説明】
【００２０】
前板  １
側板  ２及び３
背板  ４
カウンター  ５
カウンターの開口  ６
コンロ本体  ７
コンロ面  ８
ガス配管  ９
ガス栓  １０
引き出し本体  １１
引き出し前板  １２
引き出し  １３
仕切り板  １４
仕切り板後方部  １５
吸気口板の小径の孔  １６
吸気口板  １７
補助幕板  １８
引き出しの取っ手  １９
隙間  ２０
前底板  ２１
通気路  ２２
【図１】
2006181206.tif 000003
【図２】
2006181206.tif 000004
【図３】
2006181206.tif 000005